【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
第１コンテンツと関連して提供される第２コンテンツの提供条件として、当該第１コンテンツが提供される場所における利用量に応じた提供条件を提示し、第２コンテンツが提供される権利の販売サービスを提供する提供部、
を備えたことを特徴とする提供装置。
【請求項２】
前記提供部は、
所定の条件下に応じて変動する前記提供条件に基づく情報を提示し、前記販売サービスを提供する、
ことを特徴とする請求項１に記載の提供装置。
【請求項３】
前記提供部は、
観客の属性に応じて変動する前記提供条件に基づく情報を提示し、前記販売サービスを提供する、
ことを特徴とする請求項２に記載の提供装置。
【請求項４】
前記提供部は、
前記第１コンテンツごとに変動する前記提供条件に基づく情報を提示し、前記販売サービスを提供する、
ことを特徴とする請求項２又は３に記載の提供装置。
【請求項５】
前記提供部は、
前記第１コンテンツに対する評判に応じて変動する前記提供条件に基づく情報を提示し、前記販売サービスを提供する、
ことを特徴とする請求項２〜４のいずれか一つに記載の提供装置。
【請求項６】
前記提供部は、
前記提供条件として、前記場所における所定の動員数毎に決められている、前記第２コンテンツの提供料金の単価である動員単価に基づく情報を提示し、前記販売サービスを提供する、
ことを特徴とする請求項１〜５のいずれか一つに記載の提供装置。
【請求項７】
前記提供部は、
前記場所に関する情報又は前記第１コンテンツに関するコンテンツ情報をさらに提示するとともに、前記販売サービスを提供する、
ことを特徴とする請求項１〜６のいずれか一つに記載の提供装置。
【請求項８】
前記提供部は、
前記場所に関する情報として、前記第１コンテンツが提供される施設が所在する地域又は当該施設で前記第１コンテンツが提供される時間に関する情報を提供し、前記コンテンツ情報として、前記第１コンテンツの題名又は内容に関する情報を提供する、
ことを特徴とする請求項７に記載の提供装置。
【請求項９】
前記提供部は、
前記第１コンテンツに第２コンテンツを組み込む権利をオークション形式により販売する前記販売サービスを提供する、
ことを特徴とする請求項１〜８のいずれか一つに記載の提供装置。
【請求項１０】
前記第２コンテンツが提供される権利に関する購入要求を送信した提供主から第２コンテンツの入稿を受け付ける入稿受付部と、
前記第２コンテンツを提供する端末に対して、前記入稿受付部によって受け付けられた第２コンテンツを配信する配信部と、
をさらに備えたことを特徴とする請求項１〜９のいずれか一つに記載の提供装置。
【請求項１１】
前記提供部は、
前記第１コンテンツとともに提供される第２コンテンツであって、当該第１コンテンツの提供前、当該第１コンテンツの提供中、もしくは、当該第１コンテンツの提供後のいずれか一つのタイミングで観客に提供される第２コンテンツに関する権利の販売サービスを提供する、
ことを特徴とする請求項１〜１０のいずれか一つに記載の提供装置。
【請求項１２】
前記提供部は、
前記第１コンテンツにオーバーレイさせて観客に提供される第２コンテンツに関する権利の販売サービスを提供する、
ことを特徴とする請求項１１に記載の提供装置。
【請求項１３】
コンピュータが実行する提供方法であって、
第１コンテンツと関連して提供される第２コンテンツの提供条件として、当該第１コンテンツが提供される場所における利用量に応じた提供条件を提示し、第２コンテンツが提供される権利の販売サービスを提供する提供工程、
を含んだことを特徴とする提供方法。
【請求項１４】
第１コンテンツと関連して提供される第２コンテンツの提供条件として、当該第１コンテンツが提供される場所における利用量に応じた提供条件を提示し、第２コンテンツが提供される権利の販売サービスを提供する提供手順、
をコンピュータに実行させることを特徴とする提供プログラム。
【請求項１５】
広告コンテンツの提供料金として、当該広告コンテンツが提供される場所において当該広告コンテンツが提供される際の動員数毎に決められている提供料金の単価である動員単価に基づく情報を提示し、当該広告コンテンツが提供される権利の販売サービスを提供する提供部、
を備えたことを特徴とする提供装置。
【請求項１６】
コンピュータが実行する提供方法であって、
広告コンテンツの提供料金として、当該広告コンテンツが提供される場所において当該広告コンテンツが提供される際の動員数毎に決められている提供料金の単価である動員単価に基づく情報を提示し、当該広告コンテンツが提供される権利の販売サービスを提供する提供工程、
を含んだことを特徴とする提供方法。
【請求項１７】
広告コンテンツの提供料金として、当該広告コンテンツが提供される場所において当該広告コンテンツが提供される際の動員数毎に決められている提供料金の単価である動員単価に基づく情報を提示し、当該広告コンテンツが提供される権利の販売サービスを提供する提供手順、
をコンピュータに実行させることを特徴とする提供プログラム。
【請求項１８】
第１コンテンツとともに第２コンテンツを提供させるための権利の販売サービスにおいて、当該第１コンテンツが提供される施設において当該第１コンテンツが提供される際の動員数毎に決められている提供料金の単価である動員単価と、当該施設において当該第１コンテンツが提供された際の動員数とに基づいて、当該販売サービスにおいて当該権利を購入した提供主に請求する提供料金を算定する算定部、
を備えたことを特徴とする算定装置。
【請求項１９】
前記算定部は、
実際の動員数と前記動員単価とに基づいて、前記提供主に請求する提供料金を算定する、
ことを特徴とする請求項１８に記載の算定装置。
【請求項２０】
前記算定部は、
動員数の予測数と前記動員単価とに基づいて、前記提供主に請求する提供料金を算定する、
ことを特徴とする請求項１８に記載の算定装置。
【請求項２１】
前記算定部は、
前記第１コンテンツの提供先である観客の属性に応じて変動する動員単価に基づいて、前記提供料金を算定する、
ことを特徴とする請求項１８〜２０のいずれか一つに記載の算定装置。
【請求項２２】
前記算定部は、
前記第２コンテンツに設定されたカテゴリに応じて変動する動員単価に基づいて、前記提供料金を算定する、
ことを特徴とする請求項１８〜２１のいずれか一つに記載の算定装置。
【請求項２３】
前記算定部は、
前記第２コンテンツの長さに応じて変動する動員単価に基づいて、前記提供料金を算定する、
ことを特徴とする請求項１８〜２２のいずれか一つに記載の算定装置。
【請求項２４】
コンピュータが実行する算定方法であって、
第１コンテンツとともに第２コンテンツを提供させるための権利の販売サービスにおいて、当該第１コンテンツが提供される施設において当該第１コンテンツが提供される際の動員数毎に決められている提供料金の単価である動員単価と、当該施設において当該第１コンテンツが提供された際の動員数とに基づいて、当該販売サービスにおいて当該権利を購入した提供主に請求する提供料金を算定する算定工程、
を含んだことを特徴とする算定方法。
【請求項２５】
第１コンテンツとともに第２コンテンツを提供させるための権利の販売サービスにおいて、当該第１コンテンツが提供される施設において当該第１コンテンツが提供される際の動員数毎に決められている提供料金の単価である動員単価と、当該施設において当該第１コンテンツが提供された際の動員数とに基づいて、当該販売サービスにおいて当該権利を購入した提供主に請求する提供料金を算定する算定手順、
をコンピュータに実行させることを特徴とする算定プログラム。
【手続補正２】
【補正対象書類名】明細書
【補正対象項目名】発明の名称
【補正方法】変更
【補正の内容】
【発明の名称】提供装置、提供方法、提供プログラム、算定装置、算定方法及び算定プログラム
【手続補正３】
【補正対象書類名】明細書
【補正対象項目名】０００１
【補正方法】変更
【補正の内容】
【０００１】
本発明は、提供装置、提供方法、提供プログラム、算定装置、算定方法及び算定プログラムに関する。